(57)【要約】【課題】  レーザ光を照射することにより固体被膜を転写対象面上に転写させる際に、転写の精度をより向上させることが可能な転写装置を提供すること。【解決手段】  レーザ光を透過させる性質を有し且つ可撓性を有する樹脂フィルムで構成された基材と、基材上に設けられた固体被膜とを有する転写板が巻回されたリール状物から転写板を連続的に供給する供給リールと、加圧部と、レーザ光照射部と、転写板を回収する回収リールと、制御部とを備え、制御部は、供給リールから供給された転写板を基材側から転写対象物の転写対象面に加圧して固体被膜を転写対象面に密着させ、密着状態を保った状態で、基材側からレーザ光を照射し、固体被膜を転写対象面上に転写させるように加圧部とレーザ光照射部とを制御する第１の処理、及び、転写板を転写対象物から遠ざけて、転写板を転写対象面から取り除く第２の処理とを行なう転写装置。【選択図】  図５
2014140889.tif 000002
【特許請求の範囲】
【請求項１】
レーザ光を透過させる性質を有し且つ可撓性を有する樹脂フィルムで構成された基材と、前記基材上に設けられた固体被膜とを有する転写板が巻回されたリール状物から前記転写板を連続的に供給する供給リールと、
前記供給リールから供給された転写板を基材側から転写対象物の転写対象面に加圧する加圧部と、
レーザ光照射部と、
前記供給リールから供給され、転写に使用された転写板を回収する回収リールと、
制御部とを備え、
前記制御部は、前記供給リールから供給された転写板を基材側から転写対象物の転写対象面に加圧して固体被膜を前記転写対象面に密着させ、密着状態を保った状態で、前記基材側からレーザ光を照射し、前記固体被膜を前記転写対象面上に転写させるように前記加圧部と前記レーザ光照射部とを制御する第１の処理、及び、前記第１の処理の後、前記転写板を前記転写対象物から遠ざけて、前記転写板を前記転写対象面から取り除く第２の処理とを行なうことを特徴とする転写装置。
【請求項２】
前記加圧部を少なくとも支持するフローティング機構を備え、
前記制御部が行なう前記第２の処理は、前記加圧部を前記転写対象物から遠ざけることにより前記転写板を前記転写対象物から遠ざけて、前記転写板と前記転写対象物との密着面のうち剥離力の低い箇所から順次剥離させることにより前記転写板を前記転写対象面から取り除く処理であることを特徴とする請求項１に記載の転写装置。
【請求項３】
前記転写対象物がガラスであり、厚さが０．３ｍｍ以下であることを特徴とする請求項１又は２に記載の転写装置。
【請求項４】
レーザ光を透過させる性質を有し且つ可撓性を有する樹脂フィルムで構成された基材と、前記基材上に設けられた固体被膜とを有する転写板を準備する工程と、
転写対象物の転写対象面に前記転写板の前記固体被膜を密着させる工程と、
密着状態を保った状態で、前記基材側からレーザ光を照射し、前記固体被膜を前記転写対象面上に転写する工程と、
前記転写板を転写対象面から取り除く工程と
を有することを特徴とする転写方法。
【請求項５】
前記転写対象物がガラスであり、厚さが０．３ｍｍ以下であることを特徴とする請求項４に記載の転写方法。
【請求項６】
請求項４又は５に記載の転写方法に使用される転写板であって、
レーザ光を透過させる性質を有し且つ可撓性を有する樹脂フィルムで構成された基材と、前記基材上に設けられた固体被膜とを有することを特徴とする転写板。
【発明の詳細な説明】
【技術分野】
【０００１】
本発明は、転写装置、転写方法、及び、転写板に関する。
【背景技術】
【０００２】
従来、ガラス等の透明部材に傷を付けることなくマーキングを行う方法として、透明な部材を透過させるようにレーザー光線を照射し、この透明部材の裏側に置かれた金属のスパッタにより該透明部材にマーキングする方法が存在する（例えば、特許文献１参照）。
【０００３】
しかしながら、このような従来のマーキング方法には次のような問題点があった。
【０００４】
第１には、マーキング対象物それ自体を透過したレーザ光線を金属に照射して、スパッタリングによりマーキングを行うことから、（１）レーザ光線を透過させない又は透過させ難いマーキング対象物には適用できないこと、（２）レーザ光線を透過させるものであっても、肉厚や歪みのあまり大きなマーキング対象物や、最近のプラズマディスプレイパネル等のような表面に蛍光灯障害防止のためのＳｉＯ２被膜を有するマーキング対象物では、レーザ光線の屈折やそれに伴う焦点ズレの影響で精細なマーキングが困難となること、（３）レーザ光線を透過させるものであっても、マーキング面の背後からレーザ光線を照射することが困難なマーキング対象物には適用できないこと、等の様々な問題点があった。
【０００５】
第２には、レーザスパッタリングのメカニズムとして、金属へのレーザ光線の照射により瞬時に加熱昇華されて立ち上る金属蒸気を、レーザ光線の進行方向とは逆方向に位置するマーキング面に付着させると言う構成を採用しているため、（１）レーザ光線の照射により加熱昇華されて立ち上る金属蒸気は拡散する傾向が認められ、その結果、如何にレーザビーム径を細く絞ろうとも、それによりマーキングされる線幅には限界があり、精細なマーキングには適しないこと、（２）レーザ光線の照射により加熱昇華されて立ち上る金属蒸気はマーキング対象面に到達するまでに酸化される傾向が認められ、マーキング対象面にはマーキングされた線のほかにかなりの量の煤が付着するため、不要な煤を拭き取るための後工程が不可欠であること、等の問題点があった。
【０００６】
このような従来の問題に対して、特許文献２では、レーザビームに対して透明な性質を有する基材の片面に有色被膜を被着させてなる転写板を、マーキング対象となる面に有色被膜が対面するように重ね合わせ、転写板の背後（基材側）からレーザビームを照射して、マーキング対象となる面上にマーキングを行なう方法が提案されている。
【０００７】
特許文献２には、当該方法によれば、マーキング対象物の厚さや材質によらず、マーキングを行なうことが可能となり、マーキング対象物の表面に傷を付けにくい態様で精細なマーキングを行なうことが可能となることが記載されている。
【０００８】
特許文献２に開示されているマーキング方法では、マーキングする際、転写板とマーキング対象との間に空気が入った間隙が存在するように、両者間の微細間隙の大きさを適切に制御しながらレーザビームを照射している。特許文献２には、転写板とマーキング対象との間に間隙を設ける理由について、スパッタリング原理からこのような間隙の存在が不可欠であることが記載されている。
【０００９】
また、特許文献３には、マーキング対象となる面上に適当な厚さのスペーサパターンを転写し、転写されたスペーサを介してマーキング対象面と転写板との間に微細な間隙を生じさせながら両者を重ね合わせ、この状態でレーザ光の照射を行なうことが開示されている。特許文献３には、マーキング対象面と転写板との間に微細な間隙を生じさせる理由について、完全密着状態でレーザ光を照射すると、固体被膜（例えば、クロム被膜）が過度に昇温され、転写板とマーキング対象面とが溶着され、剥離不能となってしまうおそれがあると記載されている。
【先行技術文献】
【特許文献】
【００１０】
【特許文献１】特開昭６０−２２４５８８号公報
【特許文献２】特許第３９１５８５１号公報
【特許文献３】特開平１１−０７７３４０号公報
【発明の概要】
【発明が解決しようとする課題】
【００１１】
しかしながら、特許文献２や特許文献３では、マーキング対象面と転写板との間に微細な間隙を生じさせていることから、この微細な間隙において転写物質が拡散する可能性がある。そのため、転写精度のさらなる向上が期待されている。
【００１２】
本発明は上述した課題に鑑みてなされたものであり、その目的は、レーザ光を照射することにより固体被膜を転写対象面上に転写させる際に、転写の精度をより向上させることが可能な転写装置、転写方法、及び、転写板を提供することにある。
【課題を解決するための手段】
【００１３】
本発明者等は、転写装置、転写方法、及び、転写板について検討した。その結果、特定の転写板を用いれば、マーキング対象面と転写板とを密着させた状態でレーザ光照射による転写を行なっても、両者を剥離可能とすることができ、転写の精度をより向上させることが可能となることを見出し、本発明を完成するに至った。
【００１４】
すなわち、本発明は、以下のようなものを提供する。
レーザ光を透過させる性質を有し且つ可撓性を有する樹脂フィルムで構成された基材と、前記基材上に設けられた固体被膜とを有する転写板が巻回されたリール状物から前記転写板を連続的に供給する供給リールと、
前記供給リールから供給された転写板を基材側から転写対象物の転写対象面に加圧する加圧部と、
レーザ光照射部と、
前記供給リールから供給され、転写に使用された転写板を回収する回収リールと、
制御部とを備え、
前記制御部は、前記供給リールから供給された転写板を基材側から転写対象物の転写対象面に加圧して固体被膜を前記転写対象面に密着させ、密着状態を保った状態で、前記基材側からレーザ光を照射し、前記固体被膜を前記転写対象面上に転写させるように前記加圧部と前記レーザ光照射部とを制御する第１の処理、及び、前記第１の処理の後、前記転写板を前記転写対象物から遠ざけて、前記転写板を前記転写対象面から取り除く第２の処理とを行なうことを特徴とする転写装置。
【００１５】
本発明に係る転写装置によれば、供給リールから供給された転写板を基材側から転写対象物の転写対象面に加圧して固体被膜を前記転写対象面に密着させ、密着状態を保った状態で、前記基材側からレーザ光を照射し、前記固体被膜を前記転写対象面上に転写させる。密着状態を保った状態で転写を行なうため、転写の精度に優れる。
次に、前記転写板を前記転写対象物から遠ざけて、前記転写板を前記転写対象面から取り除く。ここで、本発明では、転写板を構成する基材として、可撓性を有する樹脂フィルムで構成されたものを用いる。従って、転写の際に、転写板と転写対象面とが溶着していたとしても、転写板を転写対象面から取り除く際には、転写板を撓ませ、溶着の境界から順次剥離することができる。
このように、本発明に係る転写装置によれば、転写対象面と転写板とを密着させた状態でレーザ光照射による転写を行なっても、両者を剥離可能とすることができ、転写の精度をより向上させることが可能となる。
【００１６】
前記構成においては、前記加圧部を少なくとも支持するフローティング機構を備え、
前記制御部が行なう前記第２の処理は、前記加圧部を前記転写対象物から遠ざけることにより前記転写板を前記転写対象物から遠ざけて、前記転写板と前記転写対象物との密着面のうち剥離力の低い箇所から順次剥離させることにより前記転写板を前記転写対象面から取り除く処理であることが好ましい。
前記加圧部がフローティング機構により支持されている場合、前記加圧部を前記転写対象物から遠ざけると（加圧の圧力を緩めると）、転写板と転写対象物との密着面のうち剥離力の低い箇所から順次剥離されることになる。その結果、溶着の度合いが大きい場合であっても、好適に転写板を転写対象面から取り除くことができる。
【００１７】
前記構成において、前記転写対象物がガラスであり、厚さが０．３ｍｍ以下であることが好ましい。本発明では、転写板を構成する基材として、可撓性を有する樹脂フィルムで構成されたものを用いる。従って、転写の際に、転写板と転写対象面とが溶着していたとしても、転写板を転写対象面から取り除く際には、転写板を撓ませ、溶着の境界から順次剥離することができる。そのため、転写対象物がガラスであり、厚さが０．３ｍｍ以下という薄いものであっても、破損することなく転写板を転写対象物から剥離することができる。
【００１８】
また、本発明は、以下のようなものを提供する。
レーザ光を透過させる性質を有し且つ可撓性を有する樹脂フィルムで構成された基材と、前記基材上に設けられた固体被膜とを有する転写板を準備する工程と、
転写対象物の転写対象面に前記転写板の前記固体被膜を密着させる工程と、
密着状態を保った状態で、前記基材側からレーザ光を照射し、前記固体被膜を前記転写対象面上に転写する工程と、
前記転写板を転写対象面から取り除く工程と
を有することを特徴とする転写方法。
【００１９】
本発明に係る転写方法によれば、転写対象物の転写対象面に転写板の固体被膜を密着させ、密着状態を保った状態で、転写板の基材側からレーザ光を照射し、前記固体被膜を前記転写対象面上に転写させる。密着状態を保った状態で転写を行なうため、転写の精度に優れる。
次に、前記転写板を前記転写対象面から取り除く。ここで、本発明では、転写板を構成する基材として、可撓性を有する樹脂フィルムで構成されたものを用いる。従って、転写の際に、転写板と転写対象面とが溶着していたとしても、転写板を転写対象面から取り除く際には、転写板を撓ませ、溶着の境界から順次剥離することができる。
このように、本発明に係る転写方法によれば、マーキング対象面と転写板とを密着させた状態でレーザ光照射による転写を行なっても、両者を剥離可能とすることができ、転写の精度をより向上させることが可能となる。
【００２０】
前記構成において、前記転写対象物がガラスであり、厚さが０．３ｍｍ以下であることが好ましい。本発明では、転写板を構成する基材として、可撓性を有する樹脂フィルムで構成されたものを用いる。従って、転写の際に、転写板と転写対象面とが溶着していたとしても、転写板を転写対象面から取り除く際には、転写板を撓ませ、溶着の境界から順次剥離することができる。そのため、転写対象物がガラスであり、厚さが０．３ｍｍ以下という薄いものであっても、破損することなく転写板を転写対象物から剥離することができる。
【００２１】
また、本発明は、以下のようなものを提供する。
前記に記載の転写方法に使用される転写板であって、
レーザ光を透過させる性質を有し且つ可撓性を有する樹脂フィルムで構成された基材と、前記基材上に設けられた固体被膜とを有することを特徴とする転写板。
本発明に係る転写板を構成する基材は、可撓性を有する樹脂フィルムで構成されている。従って、前記に記載の転写方法に使用した場合、転写の際に、転写板と転写対象面とが溶着していたとしても、転写板を転写対象面から取り除く際には、転写板を撓ませ、溶着の境界から順次剥離することができる。
すなわち、本発明に係る転写板を用いれば、マーキング対象面と転写板とを密着させた状態でレーザ光照射による転写を行なっても、両者を剥離可能とすることができ、転写の精度をより向上させることが可能となる。
【発明の効果】
【００２２】
本発明によれば、レーザ光を照射することにより固体被膜を転写対象面上に転写させる際に、転写の精度をより向上させることが可能な転写装置、転写方法、及び、転写板を提供することができる。
【図面の簡単な説明】
【００２３】
【図１】本発明の一実施形態に係る転写板を模式的に示す断面図である。
【図２】本発明の一実施形態に係る転写方法を説明するための断面模式図である。
【図３】本発明の一実施形態に係る転写方法を説明するための断面模式図である。
【図４】本発明の一実施形態に係る転写方法を説明するための断面模式図である。
【図５】本発明の一実施形態に係る転写装置を模式的に示す断面図である。
【図６】本発明の一実施形態に係る転写装置を模式的に示す断面図である。
【図７】本発明の一実施形態に係る転写装置を模式的に示す断面図である。
【発明を実施するための形態】
【００２４】
以下、本発明の実施形態について図面に基づいて説明する。
【００２５】
図１は、本発明の一実施形態に係る転写板を模式的に示す断面図である。図１に示すように、転写板１０は、基材１２と、基材１２上に設けられた固体被膜１４とを有する。なお、転写板１０の形状は、所望のマーキングパターンに応じて適宜決定することができる。
【００２６】
基材１２は、レーザ光を透過させる性質を有し且つ可撓性を有する樹脂フィルムで構成されている。レーザ光を透過させる性質とは、レーザ光の波長との関係で規定され、当該レーザ光を透過させる性質を有する限り、基材１２を構成する材料は特に限定されない。このような基材１２の具体例としては、波長１．０６μｍのＹＡＧレーザ光を透過させる性質を有する樹脂フィルムとして、例えば、ポリイミドフィルム、セルロースアセテートフィルム、ポリエステルフィルム、ポリエチレンテレフタレートフィルム、ポリエチレンナフタレートフィルム、ポリアミドフィルム、トリアセテートフィルム、ポリカーボネートフィルム等を挙げることができる。
本発明において、「可撓性を有する樹脂フィルム」とは、幅０．５ｃｍ、長さ１０ｃｍの試料を作成し、当該試料を長さ方向で８ｃｍ離間した２点で支持（載置）し、長さ方向の中央部分に１０ｇの荷重を加えた際の、当該中央部分の荷重を加える前後での変化量（荷重方向への撓み量）が０．５ｃｍ以上あるものをいう。前記変化量は、１ｃｍ以上であることがより好ましい。また、前記変化量は大きいほど好ましい。
【００２７】
基材１２の厚さとしては、特に制限されないが、可撓性の観点から、５〜３００μｍが好ましく、２５〜５０μｍがより好ましい。前記樹脂フィルムのなかでも、レーザ光を透過させる性質、及び、可撓性の観点から、ポリエチレンテレフタレートフィルムが好ましい。
【００２８】
固体被膜１４は、基材１２を透過したレーザ光により瞬時に蒸発乃至昇華され、転写対象物の転写対象面に転写されるものである。固体被膜１４の材質は、（１）レーザ光の照射により加熱されて瞬時に蒸発乃至昇華する温度特性を有すること、（２）必要なマーキングの色彩を有すること、（３）基材に対して均一な厚さの被膜を形成できること、（４）転写対象物の製造工程等における処理温度に対する耐熱性を有すること、（５）比較的に低コストで提供できること、等を考慮して決定することができる。
【００２９】
固体被膜１４に使用できる物質としては、Ａｕ，Ｐｄ，Ａｇ，Ｃｕ，Ｃｒ，Ａｌ，Ｔａ，Ｎｉ−Ｃｕ，Ｎｉ−Ｃｒ，ＴｉＮ，ＴｉＣ，ＩＴＯ，ＳｉＯ2，Ｓｉ3Ｎ4，Ｎｂ−Ｔｉ，Ｍｏ，Ｍｏ−Ｓｉ，Ｃｏ−Ｃｒ，Ｃｏ−Ｐ，Ａｌ2Ｏ3，ＴｉＷ，ＳＵＳ等が挙げられる。従って、これらの候補物質の中から、上記条件（１）〜（５）を考慮して適当な物質を固体被膜の材料として選択することができる。なかでも、上記（４）の観点からは、Ｃｒが好ましく、上記（１）の観点からは、Ｔｉが好ましい。
【００３０】
固体被膜１４の厚さとしては、１０ｎｍ〜３００ｎｍが好ましく、５０ｎｍ〜１５０ｎｍがより好ましい。固体被膜１４の厚さを上記数値範囲内とすることにより、転写対象物に転写した際に、マーキング（転写物）の厚さを薄くでき且つマーキングを明確に視認可能とすることができる。
【００３１】
固体被膜１４を基材１２上に形成する方法としては、特に限定されないが従来公知の真空蒸着やスパッタリング等を用いることができる。
【００３２】
なお、図１に示す転写板１０の構成に加えて、基材１２と固体被膜１４との間に、レーザ光を吸収して発熱する性質を有するレーザ光吸収層を介在させてもよい。例えば、基材１２上に、酸化クロムによる黒色のレーザ光吸収層とクロムによる金属色の固体被膜１４とを順に重ねた構造とすれば、酸化クロム層（レーザ光吸収層）の存在によりクロム層（固体被膜１４）の反射を抑制すると同時にＹＡＧレーザ光の吸収効率を高めて、低光強度ＹＡＧレーザ光による明瞭なマーキングを可能ならしめることができる。
【００３３】
次に、本実施形態に係る転写方法について説明する。
本実施形態に係る転写方法は、
レーザ光を透過させる性質を有し且つ可撓性を有する樹脂フィルムで構成された基材と、前記基板上に設けられた固体被膜とを有する転写板を準備する工程（工程Ａ）と、
転写対象物の転写対象面に前記転写板の前記固体被膜を密着させる工程（工程Ｂ）と、
密着状態を保った状態で、前記基材側からレーザ光を照射し、前記固体被膜を前記転写対象面上に転写する工程（工程Ｃ）と、
前記転写板を転写対象面から取り除く工程（工程Ｄ）と
を有する。
【００３４】
［転写板準備工程］
図２〜図４は、本発明の一実施形態に係る転写方法を説明するための断面模式図である。図２に示すように、本実施形態に係る転写方法では、まず、レーザ光を透過させる性質を有し且つ可撓性を有する樹脂フィルムで構成された基材１２と基材１２上に設けられた固体被膜１４とを有する転写板１０を準備する（工程Ａ）。なお、転写板１０は、リール状に巻回されたものを準備してもよく、リール状に巻回されていないシート状のものを準備してもよい。
【００３５】
［密着工程］
次に、転写対象物１６の転写対象面１６ａに転写板１０の固体被膜１４を密着させる（工程Ｂ）。この工程では、転写対象面１６ａと固体被膜１４との間に１μｍ以上の間隙が生じないように密着させることが好ましい。すなわち、転写対象面１６ａと固体被膜１４との間隙は、１μｍ未満となることが好ましく、０．６μｍ未満となることがより好ましい。転写対象面１６ａと固体被膜１４とを密着させる方法としては特に限定されない。例えば、転写対象物１６と転写板１０とを物理的に挟み込み、圧力Ｐを加えてもよく、転写対象物１６と転写板１０とを重ねた後、転写板１０側から高圧の空気を吹き付けることにより圧力Ｐを加え、転写対象物１６と転写板１０とを密着させてもよい。
【００３６】
転写対象物１６としては、特に限定されず、例えば、ガラス、セラミック、金属等の材質からなるものを挙げることがきる。転写対象物１６の形状は、特に限定されず、板状、球状、円柱状、角柱状等を挙げることができる。本実施形態では、転写板１０を構成する基材１２が可撓性を有する樹脂フィルムで構成されているため、転写対象物面１６ａの形状に沿わせて転写板１０を密着することができる。また、本実施形態では、転写板１０を構成する基材１２が可撓性を有する樹脂フィルムで構成されているため、後述する転写工程の際に、転写板１０と転写対象面１６ａとが溶着していたとしても、転写板１０を転写対象面１６ａから取り除く際には、転写板１０を撓ませ、溶着の境界から順次剥離することができる。そのため、剥離の際に、転写対象物面１６に局所的に大きな剥離力がかかることを抑制できる。従って、本実施形態においては、転写対象物１６として、薄くて脆いものであっても採用することもできる。このような転写対象物１６としては、厚さの薄いガラスを挙げることができ、具体的には、好ましくは、厚さ０．８ｍｍ以下、より好ましくは、厚さ０．３ｍｍ以下、さらに好ましくは、厚さ０．１ｍｍ以下のガラスを挙げることができる。すなわち、本実施形態の構成を採用すれば、転写対象物の厚さが０．８ｍｍの場合はもちろん、厚さ０．３ｍｍや、厚さ０．１ｍｍ程度の薄くて脆いガラスであっても、破損させることなくマーキングを行なうことが可能となる。前記ガラスとしては、例えば、サファイアガラス、強化ガラス等を挙げることができる。
【００３７】
［転写工程］
次に、密着状態を保った状態で、基材１２側からレーザ光１８を照射し、固体被膜１４を転写対象面１６ａ上に転写する（工程Ｃ）。具体的には、例えば、転写板１０の上方に配置されたＹＡＧレーザマーカ装置２０を用い、固体被膜１４から転写対象物面１６ａへの転写物の転写が所望の形状となるように、レーザ光１８を基材１２側から固体被膜１４に照射する。これにより、基材１２を透過したレーザ光１８により固体被膜１４を加熱し、これを瞬時に蒸発乃至昇華させることにより、いわゆるレーザスパッタリングの原理で、転写板１０上の固体被膜１４を転写対象物１６の転写対象物面１６ａに所望の形状で転写させることができる。
【００３８】
レーザ光の照射条件としては、固体被膜１４の厚さや固体被膜１４の材料に応じて選択することができる。このような照射条件としては、レーザ光強度１．２〜１００ｋＷ／ｃｍ２が好ましく、１５〜４０ｋＷ／ｃｍ２がより好ましい。発振モードとしては、連続波、パルス波いずれも用いることができるが、加熱されることを抑制できる観点から、パルス波が好ましい。パルス波を用いる場合、繰り返し周波数としては、０．５〜１００ｋＨｚが好ましく、２ｋＨｚ〜３０ｋＨｚがより好ましい。また、走査速度としては、８００〜２０００ｍｍ／秒が好ましく、１０００〜１５００ｍｍ／秒がより好ましい。また、パルス幅としては、１〜１０００ｎｓｅｃが好ましく、１〜１００ｎｓｅｃがより好ましく、６〜３０ｎｓｅｃがさらに好ましい。前記範囲内の照射条件とすることにより、より鮮明にマーキングでき且つ過度の溶着を抑制することが可能となる。
【００３９】
［転写板取除工程］
最後に、転写板１０を転写対象面１６ａから取り除く（工程Ｄ）。本実施形態では、転写板１０を構成する基材１２として、可撓性を有する樹脂フィルムで構成されたものを用いている。従って、転写の際に、転写板１０と転写対象面１６ａとが溶着していたとしても、転写板１０を転写対象面１６ａから取り除く際には、転写板１０を撓ませ、溶着の境界から順次剥離する（図３、図４参照）。
【００４０】
以上、本実施形態に係る転写方法によれば、転写対象面１６ａと転写板１０とを密着させた状態でレーザ光照射による転写を行なっても、両者を剥離可能とすることができ、転写の精度をより向上させることが可能となる。
【００４１】
次に、本実施形態に係る転写装置について説明する。
図５は、本発明の一実施形態に係る転写装置を模式的に示す断面図である。
転写装置４０は、転写板１０が巻回されたリール状物１１から転写板１０を連続的に供給する供給リール４２、供給リール４２から供給され、転写に使用された転写板１０を回収する回収リール４４、供給リール４２から供給された転写板１０を基材１２側から転写対象物１６の転写対象面１６ａに加圧する加圧用ガラス４６、供給リール４２から供給され回収リール４４に回収される転写板１０をガイドするガイド用リール４８、加圧用ガラス４６とガイド用リール４８とを支持するフローティング機構５０、ＹＡＧレーザマーカ装置２０、及び、図示しない制御部を備える。なお、加圧用ガラス４６は、本発明の加圧部に相当する。また、ＹＡＧレーザマーカ装置２０は、本発明のレーザ光照射部に相当する。
【００４２】
以下転写装置４０の使用方法、動作について説明する。まず、転写対象物１６を所定位置にセットする。この際、保持板として真空吸着盤を使用し、転写対象物１６を吸着保持してもよい。転写対象物１６が所定位置にセットされた後、制御部は、操作者から入力された入力信号等に基づいて、供給リール４２及び回収リール４４を駆動し、リール状物１１から転写板１０を転写対象物１６の上方に供給する。
【００４３】
次に、制御部は、フローティング機構５０を転写対象物１６に近づく方向（図５中では下側）に移動させ、加圧用ガラス４６を介して転写板１０を押圧する（図６参照）。これにより、転写板１０を基材１２側から転写対象物１６の転写対象面１６ａに加圧して固体被膜１４を転写対象面１６ａに密着させる。この際、フローティング機構５０の移動に伴って、ガイド用リール４８も転写対象物１６に近づく方向に移動させ、加圧用ガラス４６の両側部分に位置する転写板１０を転写対象物面１６ａに接触させてもよい。
【００４４】
次に、制御部は、密着状態を保った状態で、ＹＡＧレーザマーカ装置２０を制御し、加圧用ガラス４６を介して、転写板１０の基材１２側からレーザ光１８を照射させ、固体被膜１４を転写対象面１６ａ上に転写させる。なお、加圧用ガラス４６としては、レーザ光を透過させる性質を有するものを使用することが好ましい。
【００４５】
その後、制御部は、フローティング機構５０を転写対象物１６から離れる方向（図６ででは上側）に移動させ、加圧用ガラス４６を転写対象物１６から遠ざける。これにより、転写板１０は、転写対象物１６から遠ざけられる。この際、ガイド用リール４８も転写対象物面１６ａから遠ざけられる。その結果、転写板１０と転写対象物１６との密着面のうち剥離力の低い箇所から順次剥離される。すなわち、加圧用ガラス４６はフローティング機構５０により支持されていることから、加圧用ガラス４６が上側に移動されると、加圧用ガラス４６は、転写板１０とともに剥離力の低い箇所から剥離されるように姿勢を変える（図７参照）。この状態で、転写板１０が転写対象物面１６ａから順次剥離される。以上により、転写板１０が、転写対象面１６ａから取り除かれる。
【００４６】
以上、本実施形態に係る転写装置４０によれば、転写対象物面１６ａと転写板１０とを密着させた状態でレーザ光照射による転写を行なっても、両者を剥離可能とすることができ、転写の精度をより向上させることが可能となる。
【００４７】
上述した実施形態では、加圧用ガラス４６を用いて転写板１０を転写対象面１６ａに加圧し、加圧用ガラス４６を透過させるようにしてレーザ光を転写板１０に照射する場合について説明した。しかしながら、本発明においてはこの例に限定されず、加圧部を、レーザ光が通過する部分の外周側のみを加圧できる形態（例えば、中空の四角柱）とし、転写の際には、レーザ光を転写板に直接照射することとしてもよい。
また、上述した実施形態では、加圧用ガラス４６を用いて転写板１０を転写対象面１６ａに加圧する場合について説明したが、本発明の加圧部は転写板を転写対象面に加圧できれば、この例に限定されず、例えば、空気吹き付け機を用いて高圧の空気を吹き付け、転写板を転写対象面に加圧してもよい。
【００４８】
また、上述した実施形態では、加圧用ガラス４６（加圧部）がフローティング機構５０に支持されている場合について説明したが、本発明はこの例に限定されず、フローティング機構を用いなくてもよい。転写板を構成する基材が可撓性を有する樹脂フィルムで構成されていれば、フローティング機構を用いなくとも、転写板と転写対象物との密着面のうち剥離力の低い箇所から順次剥離され得るからである。
【００４９】
また、上述した実施形態では、加圧用ガラス４６（加圧部）がフローティング機構５０に支持されている場合について説明したが、本発明はこの例に限定されず、転写対象物側（例えば、転写対象物を保持する保持板）がフローティング機構に支持されていてもよい。このような形態であっても、加圧部がフローティング機構により支持されている場合と同様、転写板と転写対象物との密着面のうち剥離力の低い箇所から順次剥離されるようになるからである。
【００５０】
また、上述した実施形態では、波長１．０６μｍのＹＡＧレーザ光を用いる場合について説明したが、本発明では、本発明の趣旨に反しない範囲において他のレーザを用いてもよい。この場合、レーザ光の波長に応じて転写板を構成する基材や固体被膜の材料を選択すればよい。
【００５１】
以上、本発明の実施形態について説明したが、本発明は、上述した例に限定されるものではなく、本発明の構成を充足する範囲内で、適宜設計変更を行うことが可能である。
【符号の説明】
【００５２】
１０  転写板
１１  リール状物
１２  基材
１４  固体被膜
１６  転写対象物
１６ａ  転写対象面
１８  レーザ光
２０  ＹＡＧレーザマーカ装置
４０転写装置
４２  供給リール
４４  回収リール
４６  加圧用ガラス
４８  ガイド用リール
５０  フローティング機構
【図１】
2014140889.tif 000003
【図２】
2014140889.tif 000004
【図３】
2014140889.tif 000005
【図４】
2014140889.tif 000006
【図５】
2014140889.tif 000007
【図６】
2014140889.tif 000008
【図７】
2014140889.tif 000009